(57)【要約】【課題】同じ楽器本体上面に傾倒パッド部と非傾倒パッド部とを混在させて、多様性や打撃容易性等を高めるための自由度を向上させる。【解決手段】上ケース１０の上面１０ａには、各々被打撃面５１を有するパッド部３０、４０が複数設けられる。パッド部４０は、被打撃面５１に対して垂直な軸線Ｌ４０が上面１０ａに垂直な直線Ｌ０に対して傾倒された傾倒パッド部である。パッド部３０は、被打撃面５１に対して垂直な軸線Ｌ３０が上面１０ａに対して垂直である非傾倒パッド部である。【選択図】図８
2008158085.tif 000002
【特許請求の範囲】
【請求項１】
楽器本体の上面に、各々被打撃面を有するパッド部が複数設けられた電子打楽器であって、
前記複数のパッド部には、被打撃面に対して垂直な軸線が前記楽器本体の上面に垂直な直線に対して傾倒されている傾倒パッド部と、被打撃面に対して垂直な軸線が前記楽器本体の上面に対して垂直である非傾倒パッド部とが含まれることを特徴とする電子打楽器。
【請求項２】
前記傾倒パッド部のうち左右に離間して配置される一対の傾倒パッド部は、それらの被打撃面に対して垂直な軸線が、互いに、左右方向における内側方向成分を含む方向に傾倒されていることを特徴とする請求項１記載の電子打楽器。
【請求項３】
前記傾倒パッド部のうち少なくとも１つは、その被打撃面に対して垂直な軸線が、当該傾倒パッド部よりも奏者に近い側に配置されたパッド部に比し、奏者側方向成分を含む方向により大きく傾倒されていることを特徴とする請求項１または２記載の電子打楽器。
【請求項４】
前記非傾倒パッド部の少なくとも１つ及び前記傾倒パッド部は、いずれも、前記楽器本体の上面から上方に突出し且つ上方にいくにつれて縮径する外郭断面形状を有したパッド体保持部と、該パッド体保持部に保持されたパッド体とから構成され、前記傾倒パッド部のパッド体保持部の外面のうち、当該傾倒パッド部の被打撃面に対して垂直な軸線が傾いている側の部分は、前記楽器本体の上面に対して該軸線が傾いている側に鋭角を成していることを特徴とする請求項１〜３のいずれか１項に記載の電子打楽器。
【請求項５】
前記傾倒パッド部は、前記楽器本体の上面から上方に突出したパッド体保持部と、該パッド体保持部に保持されたパッド体と、該パッド体の下方において前記パッド体保持部に設けられた被固着部とを有して、前記楽器本体とは別体に構成され、前記楽器本体は、前記被固着部に対応する固着部を有し、前記被固着部と対応する固着部とが締結手段で締結されることで、前記傾倒パッド部が前記楽器本体に取り付けられていることを特徴とする請求項１〜４のいずれか１項に記載の電子打楽器。
【請求項６】
前記非傾倒パッド部の少なくとも１つは、前記楽器本体の上面から上方に突出し且つ前記楽器本体に一体に形成されたパッド体保持部と、該パッド体保持部に保持されたパッド体とから構成され、前記固着部は、前記楽器本体に一体に形成されていることを特徴とする請求項５記載の電子打楽器。
【請求項７】
前記非傾倒パッド部の少なくとも１つは、前記楽器本体の上面に対して直接取り付けられたパッド体から構成されることを特徴とする請求項１〜６のいずれか１項に記載の電子打楽器。
【発明の詳細な説明】
【技術分野】
【０００１】
本発明は、楽器本体の上面にパッド部が複数設けられた電子打楽器に関する。
【背景技術】
【０００２】
従来、各々被打撃面を有するパッド部が複数設けられた電子打楽器が知られている（下記特許文献１）。この電子打楽器では、楽器本体の上面から複数のパッド部が突出して設けられている。打撃しやすくするために、楽器本体の上面を奏者側に少し傾け、それによって、各パッド部の被打撃面を奏者側に傾くようにしている。すなわち、いずれの被打撃面も楽器本体の上面とはほぼ平行であり、パッド部の被打撃面を傾けるために、楽器本体の上面自体を傾けるようにしている。
【特許文献１】特許２８９１０８４号公報
【発明の開示】
【発明が解決しようとする課題】
【０００３】
しかしながら、上記従来の電子打楽器では、配設するパッド部の数が多い場合においても、すべてのパッド部の被打撃面を同じ角度に傾けたとすると、配置位置によっては打撃がしにくい場合がある。例えば、左右方向に大きく離間して配置されるパッド部や、奏者から遠い位置に配置されるパッド部については、そうではないパッド部に比し、打撃がしにくいという問題がある。
【０００４】
ところで、仮に、１つの電子打楽器を複数方向から複数の奏者で同時演奏する等の特殊な用途を考える場合、１つの楽器本体の上面に配設されるパッド部の傾きは、一律では好ましくなく、パッド部の配設において多様性や自由度が求められることが予想される。
【０００５】
本発明は上記従来技術の問題を解決するためになされたものであり、その目的は、同じ楽器本体の上面に傾倒パッド部と非傾倒パッド部とを混在させて、多様性や打撃容易性等を高めるための自由度を向上させることができる電子打楽器を提供することにある。
【課題を解決するための手段】
【０００６】
上記目的を達成するために本発明の請求項１の電子打楽器は、楽器本体（１０）の上面（１０ａ）に、各々被打撃面（５１）を有するパッド部（３０、４０）が複数設けられた電子打楽器（１）であって、前記複数のパッド部には、被打撃面に対して垂直な軸線（Ｌ４０）が前記楽器本体の上面に垂直な直線（Ｌ０）に対して傾倒されている傾倒パッド部（４０）と、被打撃面に対して垂直な軸線（Ｌ３０）が前記楽器本体の上面に対して垂直である非傾倒パッド部（３０）とが含まれることを特徴とする。
【０００７】
好ましくは、前記傾倒パッド部のうち左右に離間して配置される一対の傾倒パッド部（４０Ｌ、４０Ｒ）は、それらの被打撃面に対して垂直な軸線（Ｌ４０）が、互いに、左右方向における内側方向成分を含む方向に傾倒されている（請求項２）。
【０００８】
好ましくは、前記傾倒パッド部のうち少なくとも１つ（４０Ｌ、４０Ｒ）は、その被打撃面に対して垂直な軸線（Ｌ４０）が、当該傾倒パッド部よりも奏者に近い側に配置されたパッド部（３０）に比し、奏者側方向成分を含む方向により大きく傾倒されている（請求項３）。
【０００９】
好ましくは、前記非傾倒パッド部の少なくとも１つ（３０Ａ〜３０Ｄ）及び前記傾倒パッド部（４０Ｌ、４０Ｒ）は、いずれも、前記楽器本体の上面から上方に突出し且つ上方にいくにつれて縮径する外郭断面形状を有したパッド体保持部（３１Ａ〜３１Ｄ、４１Ｌ、４１Ｒ）と、該パッド体保持部に保持されたパッド体（５０Ａ〜５０Ｄ、５０Ｌ、５０Ｒ）とから構成され、前記傾倒パッド部のパッド体保持部の外面のうち、当該傾倒パッド部の被打撃面に対して垂直な軸線が傾いている側の部分（４２ａ）は、前記楽器本体の上面に対して該軸線が傾いている側に鋭角（θ２）を成している（請求項４）。
【００１０】
好ましくは、前記傾倒パッド部（４０Ｌ、４０Ｒ）は、前記楽器本体の上面から上方に突出したパッド体保持部（４１Ｌ、４１Ｒ）と、該パッド体保持部に保持されたパッド体（５０Ｌ、５０Ｒ）と、該パッド体の下方において前記パッド体保持部に設けられた被固着部（４４）とを有して、前記楽器本体とは別体に構成され、前記楽器本体は、前記被固着部に対応する固着部（１６）を有し、前記被固着部と対応する固着部とが締結手段（５３）で締結されることで、前記傾倒パッド部が前記楽器本体に取り付けられている（請求項５）。
【００１１】
好ましくは、前記非傾倒パッド部の少なくとも１つ（３０Ａ〜３０Ｄ）は、前記楽器本体の上面から上方に突出し且つ前記楽器本体に一体に形成されたパッド体保持部（３１Ａ〜３１Ｄ）と、該パッド体保持部に保持されたパッド体（５０Ａ〜５０Ｄ）とから構成され、前記固着部は、前記楽器本体に一体に形成されている（請求項６）。
【００１２】
好ましくは、前記非傾倒パッド部の少なくとも１つ（３０Ｅ、３０Ｆ）は、前記楽器本体の上面に対して直接取り付けられたパッド体（５０Ｅ、５０Ｆ）から構成される（請求項７）。
【００１３】
なお、上記括弧内の符号は例示である。
【発明の効果】
【００１４】
本発明の請求項１によれば、同じ楽器本体上面に傾倒パッド部と非傾倒パッド部とを混在させて、多様性や打撃容易性等を高めるための自由度を向上させることができる。
【００１５】
請求項２によれば、左右に離間配置された傾倒パッド部を互いに内向させて打撃を容易にすることができる。
【００１６】
請求項３によれば、遠い位置に配置されたパッド部を奏者側に傾倒させて打撃を容易にすることができる。
【００１７】
請求項４によれば、傾倒パッド部が傾いている側に、パッド体保持部を有した非傾倒パッド部を密接して配置することができる。
【００１８】
請求項５によれば、複雑な金型を用いることなく、楽器本体と傾倒パッド部とを組み立てにより製造することができる。
【００１９】
請求項６によれば、構成が簡単である。
【００２０】
請求項７によれば、多様なタイプのパッド部を１つの楽器本体の上面に配設することができる。
【発明を実施するための最良の形態】
【００２１】
以下、本発明の実施の形態を図面を参照して説明する。
【００２２】
図１は、本発明の一実施の形態に係る電子打楽器である電子音響機器を備える電子音響機器システムを斜め下方からみた斜視図である。この電子音響機器システムは、電子ドラムとして構成される電子音響機器１が、スタンド２によって支持されてなる。同図において、スタンド２の下部の図示が省略されているが、当該下部には、床面に安定して設置可能なように三脚が設けられている。なお、図１において、ネジ穴やネジの図示が省略されている。
【００２３】
図２は、電子音響機器１の平面図である。図３（ａ）、（ｂ）は、それぞれ、電子音響機器１の正面図、右側面図である。図４は、電子音響機器１の底面図である。図２に示すように、電子音響機器１には、打撃演奏される複数のパッド部４０Ｌ、４０Ｒ、３０Ａ〜３０Ｆが配設される。図２において、パッド部３０Ｅ、３０Ｆがある側（図２の下側）が電子音響機器１の前側であり、電子音響機器１の前方に奏者が位置して演奏がなされる。以降、電子音響機器１の前後、左右の方向は、奏者を基準として呼称する。
【００２４】
図１に示すように、電子音響機器１は、機器本体１００を備え、機器本体１００は、上ケース１０及び下ケース２０からなる。図２、図３（ａ）に示すように、複数のパッド部４０Ｌ、４０Ｒ、３０Ａ〜３０Ｆは、機器本体１００の上面でもある上ケース１０の上面１０ａに配設される。パッド部４０Ｌ、３０Ａ、３０Ｃ、３０Ｅと、パッド部４０Ｒ、３０Ｂ、３０Ｄ、３０Ｆとは、それぞれ左右対称に構成され、左右対称位置に配置される。
【００２５】
詳細は図７で後述するが、パッド部４０Ｌ、４０Ｒは、パッド体５０Ｌ、５０Ｒとパッド体保持部４１Ｌ、４１Ｒとからなり、それぞれ上ケース１０とは別体に構成されて、上ケース１０に取り付けられる。一方、パッド部３０Ａ〜３０Ｄは、パッド体５０Ａ〜５０Ｄと、パッド体保持部３１Ａ〜３１Ｄとから構成される。パッド部３０Ｅ、３０Ｆは、パッド体保持部に相当するものを備えず、パッド体５０Ｅ、５０Ｆから構成される。パッド体５０Ｌ、５０Ｒ、５０Ａ〜５０Ｆの表面が、打撃される被打撃面５１Ｌ、５１Ｒ、５１Ａ〜５１Ｆを提供する。
【００２６】
パッド体保持部３１Ａ〜３１Ｄは、上ケース１０と一体に形成される。パッド体５０Ａ〜５０Ｄは、上ケース１０とは別体に構成されて、パッド体保持部３１Ａ〜３１Ｄに取り付けられる。パッド体５０Ｅ、５０Ｆは、上ケース１０とは別体に構成されて、上ケース１０に取り付けられる。これらの取り付け状態については、図７で後述する。
【００２７】
被打撃面５１Ａ〜５１Ｆ、５１Ｌ、５１Ｒはいずれも円形であり、わずかではあるが、それらの中心部が最も高くなっている。被打撃面５１Ａ〜５１Ｆ（厳密にはそれらの各中心部に接する仮想面）は、上ケース１０の上面１０ａと平行である。一方、詳細は図７、図８等で後述するが、被打撃面５１Ｌ、５１Ｒ（厳密にはそれらの中心部に接する仮想面）は、上方且つ前方且つ左右方向内側を向いている。
【００２８】
以降、パッド部４０、３０、パッド体５０、被打撃面５１、パッド体保持部４１、３１等については、個々に区別するときには、「Ｌ」、「Ｒ」、「Ａ」、「Ｂ」・・・等の符号を付すこととする。パッド部４０は傾倒されているので「傾倒パッド部」、パッド部３０は傾倒されていないので、「非傾倒パッド部」とも呼称する。
【００２９】
図５は、上ケース１０を裏側からみた斜視図である。図６は、下ケース２０を上側からみた斜視図である。図７は、図２のＡ−Ａ線に沿う断面図である。
【００３０】
図４、図６に示すように、下ケース２０の上面２０ｃ側は皿状に窪んでおり、その外縁付近には、下側ボス２３（２３Ａ、２３Ｂ等）が複数形成されている。上面２０ｃにはまた、４つの下側ボス２１Ａ〜２１Ｄが形成されている。一方、図５に示すように、上ケース１０の裏面１０ｃ側には、下側ボス２３に対応する上側ボス１５（１５Ａ、１５Ｂ等）が形成されている。裏面１０ｃにはまた、下側ボス２１Ａ〜２１Ｄに対応する上側ボス１１Ａ〜１１Ｄが形成されている。
【００３１】
また、図７の右部に示すように、上ケース１０の外縁には、全周に亘って段差状の鉤状部１０ｂが形成され、下ケース２０の外縁には、鉤状部１０ｂに対応して、全周に亘って段差状の鉤状対応部２０ｂが形成されている。上ケース１０と下ケース２０との組み付け状態においては、上ケース１０の鉤状部１０ｂと下ケース２０と鉤状対応部２０ｂとが噛み合うように嵌合されて、抱き合わせ状態となっている。さらに、ネジ２４で各上側ボス１５と対応する下側ボス２３とが締結されると共に、ネジ２２で各上側ボス１１と対応する下側ボス２１とが締結されている（図４、図７参照）。
【００３２】
図４、図６に示すように、下ケース２０の底面２０ａには、上方に凹となっている３つの支持用凹部２６Ａ〜２６Ｃが形成されている。支持用凹部２６Ａ〜２６Ｃは、底面視において正三角形の頂点に相当する位置に位置する。図６に示すように、下ケース２０の上面２０ｃにおいて、支持用凹部２６Ａ〜２６Ｃの中間位置Ｐ１から各支持用凹部２６にかけて、それぞれ突条状のリブ２８Ａ〜２８Ｃが下ケース２０と一体に形成されている（図６参照）。リブ２８は、それぞれ上方に延設され、中間位置Ｐ１から各支持用凹部２６にかけて真っ直ぐに延びている。３箇所いずれのリブ２８も、それぞれ複数本（例えば３本）が平行に形成されてなる。上記中間位置Ｐ１は、支持用凹部２６Ａ〜２６Ｃで形成される正三角形の重心の位置に相当する。
【００３３】
また、図４、図６、図７に示すように、下ケース２０には、前後方向略中央において、左右方向に沿って、電池を収容するための電池収容部２９が設けられている。さらに、下ケース２０の後部には、各種端子が配設される端子配設部２５が設けられている。
【００３４】
図５に示すように、上ケース１０の裏面１０ｃの後部における左右両端部には、スピーカ１４Ｌ、１４Ｒが配設固定される。また、裏面１０ｃの後半部において、回路基板１７が設けられる。すなわち、裏面１０ｃには、基板用ボス１２（１２Ａ等）が複数形成され、回路基板１７が、複数のネジ１３によって基板用ボス１２を介して上ケース１０に締結固定されている（図７も参照）。
【００３５】
図２に示すように、機器本体１００の上面１０ａの前部には、楽音パラメータ設定用等の各種操作子群５が配設される。被打撃面５１が打撃されると、それが不図示の検出手段によって検出され、検出された打撃に応じた楽音信号を回路基板１７が発生させ、スピーカ１４からドラム等の楽音が発生する。
【００３６】
パッド部３０Ａ、３０Ｂは、パッド部３０Ｃ、３０Ｄに対してサイズが異なるだけで基本的構成は同じであるので、代表してパッド部３０Ｄの構成を説明する。図７に示すように、パッド部３０Ｄのパッド体保持部３１Ｄは、上ケース１０の上面１０ａに一体に連設形成され、上面１０ａから上方に突出（膨出）している。パッド体保持部３１Ｄは壁部３２を有し、壁部３２の水平断面の外郭形状は、上方にいくにつれて縮径する円形である。壁部３２の上部内側に、水平な板状保持部３３が一体に形成されている。板状保持部３３には、複数（例えば４個）の取り付け穴３３ａが形成されている。
【００３７】
パッド部３０Ｄのパッド体５０Ｄは、その上面が被打撃面５１Ｄであり、その下部からは、取り付け穴３３ａに対応する弾性を有する嵌合取付ピン５２Ｄが突設されている。嵌合取付ピン５２Ｄが、それぞれ対応する取り付け穴３３ａに圧入嵌合されることで、パッド体５０Ｄが板状保持部３３に固定されている（図５も参照）。
【００３８】
パッド部３０Ｅとパッド部３０Ｆとは、構成が同様であるので、代表してパッド部３０Ｆについて説明する。図７に示すように、パッド部３０Ｆは、パッド体保持部３１Ｄのようなものを有さない。上ケース１０の上面１０ａには、上記した取り付け穴３３ａと同様の取り付け穴が形成され（図示せず）、パッド体５０Ｆには、上記した嵌合取付ピン５２Ｄと同様の嵌合取付ピン５２Ｆが形成されている。そして、これらの取り付け穴に、対応する嵌合取付ピン５２Ｆが嵌合されて、パッド部３０Ｆが、上ケース１０の上面１０ａに直付けされている。
【００３９】
図８は、図２のＦ１矢視図である。ここで、図２に示すように、被打撃面５１Ｒ、５１Ｄ、５１Ｆの各中心部ＣＲ、ＣＤ、ＣＦは、平面視において一直線Ｌ１上に位置し、上記Ｆ１は、当該一直線Ｌ１に対して垂直な方向を指している。図８に示すように、パッド部３０Ｄの被打撃面５１Ｄに対して垂直な軸線Ｌ３０（厳密には被打撃面５１Ｄの中心部ＣＤを通り、該中心部ＣＤに接する仮想面に対して垂直な軸線）は、機器本体１００の上面１０ａに垂直な直線Ｌ０と平行である。
【００４０】
一方、パッド部４０Ｒの被打撃面５１Ｒに対して垂直な軸線Ｌ４０（厳密には被打撃面５１Ｒの中心部ＣＲを通り、該中心部ＣＲに接する仮想面に対して垂直な軸線）は、直線Ｌ０に対して、角度θ１をなしている。従って、パッド部４０Ｒは、パッド体保持部３１Ｄが位置する方向である前方且つ左方（直線Ｌ１に沿う方向）に傾倒されている。パッド部４０Ｌについては、パッド部４０Ｒとは左右対称であり、パッド体保持部３１Ｃが位置する方向である前方且つ右方に、角度θ１だけ傾倒されている。
【００４１】
パッド部４０Ｌとパッド部４０Ｒとは、傾倒の方向が異なるだけで、基本的構成が同様であるので、主にパッド部４０Ｒの構成について説明する。
【００４２】
図７、図８に示すように、パッド部４０Ｒのパッド体保持部４１Ｒの壁部４２は、パッド体保持部３１Ｄの壁部３２に対して傾きが加わっていることを除いて同様に構成される。ただし、パッド部４０Ｒのパッド体保持部４１Ｒは、上ケース１０とは別体に構成され、上面１０ａに装着される。装着状態においては、図８に示すように、パッド体保持部４１Ｒは、軸線Ｌ４０に沿って上面１０ａから突出（膨出）している。
【００４３】
パッド体保持部４１Ｒの壁部４２の水平断面の外郭形状は、軸線Ｌ４０に沿って上方にいくにつれて縮径する円形である。壁部４２の板状保持部４３、取り付け穴４３ａ、及び、パッド体５０Ｒに形成される嵌合取付ピン５２Ｒは、パッド部３０Ｄにおける板状保持部３３、取り付け穴３３ａ、及び嵌合取付ピン５２Ｄと同様である。ただし、板状保持部４３は水平でなく、軸線Ｌ４０に対して垂直である。嵌合取付ピン５２Ｒが、それぞれ対応する取り付け穴４３ａに嵌合されることで、パッド体５０Ｒが板状保持部４３に固定されている。
【００４４】
図７に示すように、板状保持部４３の下面からは、取り付けボス４４（４４Ａ、４４Ｂ等）が複数（例えば４つ）、垂下して形成されている。各取り付けボス４４には、軸線Ｌ４０に沿って、螺合用の下穴４４ａが形成されている。一方、上ケース１０の上面１０ａからは、取り付けボス４４に対応して、上方に、対応ボス１６（１６Ａ、１６Ｂ等）が上面１０ａに一体に突設形成されている（図５も参照）。
【００４５】
パッド体保持部４１Ｒの上ケース１０への装着状態においては、取り付けボス４４の下面４４ｂと対応ボス１６の上面１６ａとは、いずれも軸線Ｌ４０に対して垂直で、平行に対向当接する。下方から、ネジ５３を対応ボス１６を介して取り付けボス４４の下穴４４ａに螺合することで、パッド体保持部４１Ｒが上ケース１０に取り付け固定される。
【００４６】
なお、取り付けボス４４は下方に凸、対応ボス１６は上方に凸の、いずれも膨出形状であるが、いずれか一方を平坦として、他方のみを凸の膨出形状としてもよい。また、これらを締結する締結手段はネジ５３に限られない。
【００４７】
上ケース１０、下ケース２０は、金型成形により、樹脂でそれぞれ一体に形成される。パッド体保持部４１は、金型成形により、樹脂で形成される。上ケース１０、下ケース２０の金型成形時における金型の抜き方向は、直線Ｌ０に沿う方向である。一方、パッド体保持部４１の金型成形時における金型の抜き方向は、軸線Ｌ４０に沿う方向である。
【００４８】
仮に、パッド体保持部４１も上ケース１０と一体に形成するとし、直線Ｌ０に沿う方向に成形用の金型を抜くようにするとしたら、壁部４２の内側面４２ｂ（図８参照）、板状保持部４３の取り付けボス４４の下穴４４ａや取り付け穴４３ａ（図７参照）等がいわゆるアンダーカット部となり、簡単な金型構成では成形が困難となる。すなわち、パッド体保持部４１と上ケース１０とを共にアンダーカット構造とならないように一体成形するのは困難である。ところが、パッド体保持部４１と上ケース１０とを別体で構成し、平行でない、軸線Ｌ４０と直線Ｌ０とに沿う方向をそれぞれの金型抜き方向とすることで、傾倒したパッド部４０を配設することが容易となっている。
【００４９】
パッド部４０Ｒが傾倒されている結果、図８に示すように、パッド体保持部４１Ｒの壁部４２は、軸線Ｌ４０に沿って上方にいくにつれて縮径する形状でありながら、壁部４２のパッド部３０Ｄ側の外面４２ａは、上ケース１０の上面１０ａに対して、パッド部３０Ｄ側に鋭角θ２を成している。ここで、外面４２ａは、パッド部３０Ｄのパッド部４０Ｒ側の外面３２ａとほぼ平行になっている。そのため、パッド部４０Ｒをパッド部３０Ｄに対して近接配置することが容易となっている。
【００５０】
電子音響機器１は、次のようにして組み立てられる。まず、上ケース１０の取り付けボス４４の下面４４ｂと対応ボス１６の上面１６ａとを当接させ、ネジ５３で螺着することで、パッド体保持部４１を上ケース１０に固定する（図７参照）。次に、上ケース１０の裏面１０ｃに回路基板１７やスピーカ１４（１４Ｌ、１４Ｒ）等の必要な構成要素を取り付け（図５参照）、上ケース１０の鉤状部１０ｂと下ケース２０と鉤状対応部２０ｂとを嵌合し（図７参照）、上側ボス１５、１１と対応する下側ボス２３、２１とを当接させる（図４〜図７参照）。そして、ネジ２４（図４参照）で上側ボス１５と下側ボス２３とを締結すると共に、ネジ２２（図４参照）で上側ボス１１と下側ボス２１とを締結する。これにより、上ケース１０と下ケース２０とが抱き合わせ状態で固定される。
【００５１】
次に、図７に示すように、パッド体５０の嵌合取付ピン５２を、対応するパッド体保持部４１、３１の取り付け穴４３ａ、３３ａ（パッド体５０Ｅ、５０Ｆにおいては上ケース１０の上面１０ａの不図示の取り付け穴）に挿通嵌合して、パッド体保持部４１、３１（パッド体５０Ｅ、５０Ｆにおいては上ケース１０の上面１０ａ）に対してパッド体５０を固定する。なお、パッド体５０の固定は、上ケース１０と下ケース２０との組み付け前に行ってもよく、パッド体５０Ｌ、５０Ｒについては、パッド体保持部４１Ｌ、４１Ｒを上ケース１０に組み付ける前に装着してもよい。
【００５２】
次に、スタンド２によって電子音響機器１が支持される構成を説明する。支持用凹部２６Ａ、２６Ｂ、２６Ｃ（図４参照）は、向きが異なるだけで、いずれも同様に構成される。
【００５３】
図９（ａ）は、下ケース２０の底面２０ａにおける支持用凹部２６Ｃの斜視図である。図９（ｂ）は、図４のＢ−Ｂ線に沿う断面図である。支持用凹部２６Ａ〜２６Ｃは、下ケース２０において上方に膨出して形成される（図６参照）。支持用凹部２６Ａ、２６Ｂ、２６Ｃは、いずれも底面視矩形で、中間位置Ｐ１側の壁部２６ａＡ、２６ａＢ、２６ａＣが、支持用凹部２６Ａ、２６Ｂ、２６Ｃと中間位置Ｐ１とを結ぶ各直線に対してほぼ垂直になっている（図４、図９（ｂ）参照）。
【００５４】
代表して支持用凹部２６Ｃの構成を説明すると、図９（ａ）、（ｂ）に示すように、壁部２６ａＣには、内側に突出した係止爪２７が一体に形成されている。支持用凹部２６Ｃの上部（底部）には、係止爪２７を金型で成形する際の金型抜き用の穴２６ｂＣが形成されている。
【００５５】
一方、スタンド２は、図１に示すように、上部に３本の支持アーム４（４Ａ、４Ｂ、４Ｃ）を有している。スタンド２には、不図示の雌ねじに沿って上下に可動する可動部３が設けられており、可動部３を回転させて上方に移動させると、３本の支持アーム４が閉じる方向、すなわち、互いに近づく方向に付勢される構成となっている。可動部３を下方に移動させると、３本の支持アーム４が開く方向、すなわち、互いに離間する方向に移動する。なお、このように、所定の操作により、３本の支持アーム４を閉じる方向に付勢力を常時与えられる構成であれば、どのような構成を採用してもよい。
【００５６】
支持アーム４Ａ、４Ｂ、４Ｃの先端部４ａ（４ａＡ、４ａＢ、４ａＣ）は、上方に屈曲されており、可動部３を上方へ移動させると、結果として各先端部４ａが互いに内側に向くことになる。各先端部４ａは、ゴム等の弾性材で被装されている。電子音響機器１を支持する際には、屈曲した各先端部４ａは、図９（ｂ）に示すように、ほぼ真っ直ぐに支持用凹部２６内に嵌入される。その状態で、可動部３の操作により３本の支持アーム４が閉じ方向に付勢されることで、各先端部４ａが、対応する支持用凹部２６の壁部２６ａの内側面に当接し、各支持アーム４の付勢力によって当該壁部２６ａが中間位置Ｐ１（図４参照）方向に押圧される状態となる。
【００５７】
これにより、３本の支持アーム４が協働して、対応する支持用凹部２６の壁部２６ａを介して下ケース２０を支持する。しかも、各先端部４ａは弾性を有し、壁部２６ａには係止爪２７が形成されているので、各先端部４ａが係止爪２７に食い込む。そのため、仮に電子音響機器１のみを持ち上げるような力が加わったとしても、支持用凹部２６から先端部４ａが容易に抜けるようなことがなく、支持状態が安定維持される。
【００５８】
また、下ケース２０において、中間位置Ｐ１に向けて、リブ２８Ａ〜２８Ｃが各支持用凹部２６の各壁部２６ａに連接して形成されているので（図６参照）、支持アーム４から受ける力に対して効果的な補強となり、電子音響機器１の組み立て時の変形等を抑制することができる。
【００５９】
本実施の形態によれば、同じ機器本体１００の上面１０ａに傾倒パッド部と非傾倒パッド部とを混在させて、多様性や打撃容易性等を高めるための自由度を向上させることができる。特に、奏者から最も遠い位置にあり、且つ左右方向に最も離間している一対のパッド部４０Ｌ、４０Ｒを、中央に位置する１人の奏者方向に傾倒させると共に、互いに内向する方向に傾倒させたので、打撃操作を容易にすることができる。
【００６０】
また、パッド部４０Ｒにおいて、パッド体保持部４１Ｒのパッド部３０Ｄ側の外面４２ａは、上ケース１０の上面１０ａに対して鋭角θ２を成すので（図８参照）、パッド部４０Ｒが傾いている側に隣接する非傾倒パッド部であるパッド部３０Ｄに対して、パッド部４０Ｒを密接して配置することが容易である。
【００６１】
また、パッド部４０は、機器本体１００の上ケース１０とは別体に構成され、取り付けボス４４と対応ボス１６とがネジ５３で締結されることで上ケース１０に固定されるので（図７参照）、複雑な金型を用いることなく、上ケース１０とパッド部４０とを組み立てにより製造でき、これらを一体に形成する場合に比し、製造が容易である。
【００６２】
一方、パッド部３０Ａ〜３０Ｄのパッド体保持部３１Ａ〜３１Ｄ及び対応ボス１６は、上ケース１０と一体に形成されているので（図７参照）、構成が簡単である。また、パッド部３０Ｅ、３０Ｆは、パッド体５０Ｅ、５０Ｆが上ケース１０の上面１０ａに直接取り付けられてなるので、構成が簡単であるだけでなく、多様なタイプのパッド部を１つの機器本体１００の上面１０ａに配設することができる。
【００６３】
本実施の形態によればまた、機器本体１００が、底面２０ａに設けた３つの凹部２６を介してスタンド２の支持アーム４に支持されるので（図１参照）、支持アーム４が機器本体１００の外縁より外側に出っ張ることなく、機器本体１００がスタンド２に安定して支持されるようにすることができる。
【００６４】
特に、スタンド２の支持アーム４が互いに近づく方向に常時付勢され、対応する凹部２６の壁部２６ａが中間位置Ｐ１の方向に押圧されることによって、３本の支持アーム４の協働により機器本体１００が支持される。これにより、ネジ止め不要で機器本体１００が簡単に支持され、スタンド２の着脱作業も容易である。
【００６５】
しかも、各支持用凹部２６から中間位置Ｐ１に亘ってリブ２８が形成されているので（図６参照）、リブ２８が、下ケース２０自体の補強と、組み付け時において凹部２６に支持アーム４から力がかかる方向への補強を兼ねるようにして、簡単な構成で適切な剛性向上を図ることができる。特に、各凹部２６から延びる３箇所のリブ２８が、互いに平行でないので、打撃に対する電子音響機器１の歪み抑制効果が高い。また、３つの凹部２６が正三角形を呈するので、機器本体１００の支持状態が安定的である。
【００６６】
なお、打撃操作を容易にする観点からは、パッド部４０の傾倒の方向は、左右方向における内側方向成分、または奏者側方向成分の少なくとも一方の成分を含む方向に傾倒していれば、それなりの効果は得られる。
【００６７】
なお、傾倒させるパッド部は、例示した２つに限られない。例えば、遠い位置に配置されたパッド部を奏者側に傾倒させて打撃を容易にする観点からは、当該パッド部よりも奏者に近い側に配置されたパッド部に比し、奏者側方向成分を含む方向により大きく傾倒させればよい。好ましくは奏者から遠い位置にあるパッド部ほど奏者側への傾倒の度合いを大きく設定する。左右方向においても同様に考えることができる。左右に離間しているパッド部ほど左右方向内側への傾倒の度合いを大きくすればよい。
【００６８】
また、パッド部の配設の自由度が高くなった結果、次に示すように、パッド部の多様性を高めることもできる。
【００６９】
図１０は、本実施の形態の変形例を示す電子音響機器の側面の模式図である。同図に示すように、この電子音響機器では、前半部と後半部とで、上面の角度が異なっており、前半部が上面１０ａＡ、後半部が上面１０ａＢとなっている。この電子音響機器は、２人の奏者で同時演奏をする電子ドラムであり、前側に１人、後ろ側に１人の奏者が位置することを想定する。なお、この電子音響機器における演奏時の前後左右の方向は問わず、例えば、前後方向を左右方向とみなしてもよい。
【００７０】
上面１０ａＡ、１０ａＢには、複数のパッド部３０が、各打撃面がそれぞれ上面１０ａＡ、１０ａＢと平行になるように配設される。さらに、上面１０ａＡ、１０ａＢには、打撃面が奏者側に傾倒したパッド部４０が配設される。パッド部４０は、左右に離間して一対存在するとする場合は、それぞれ左右方向内側にも傾倒されているものとする。
【００７１】
この変形例によれば、２人の奏者による同時演奏を行う電子ドラムを実現する上で、打撃操作の容易性を確保することができる。
【００７２】
なお、本実施の形態においては、スタンド２の３本の支持アーム４の閉じ方向への付勢力を利用して、支持用凹部２６を介して下ケース２０が支持される構成であったが、これに限るものではなく、次に示すように、各支持アーム４が、独立して、対応する支持用凹部２６に嵌合される構成であってもよい。
【００７３】
図１１は、支持アーム４及び支持用凹部２６の変形例を示す、支持用凹部２６の断面の模式図である。同図に示すように、この変形例では、支持用凹部２６の内壁において、対向する位置に、１対の係合穴２６ｃが形成される。また、支持アーム４は、支持用凹部２６に嵌合する形状に形成される。支持アーム４には、係合穴２６ｃに対応して、出没自在な一対の係合玉５４が設けられる。３本の支持アーム４及び３つの支持用凹部２６のすべてが同様に構成される。
【００７４】
かかる構成において、各支持アーム４を、対応する支持用凹部２６の底部に突き当たるまで挿入して嵌合すると、挿入途中では埋没していた係合玉５４が突出して係合穴２６ｃに嵌入される。これにより、スタンド２の各支持アーム４によって、下ケース２０が支持され、支持アーム４が支持用凹部２６から意図せずに抜けることが回避される。スタンド２から下ケース２０を取り外すには、各支持アーム４を適当な力で支持用凹部２６から引き抜けばよい。
【００７５】
なお、本実施の形態では、支持アーム４及び支持用凹部２６は３組であったが、電子音響機器１が一層安定して支持されるようにする観点からは、４組以上であてもよい。その場合、各組の配置位置は、極力バランスよく離間させ、多角形（凸多角形）を呈するようにする。そして、中間位置Ｐ１（図４参照）は、多角形の重心に相当する位置とする。
【００７６】
なお、支持アーム４及び支持用凹部２６の組は、次に示すように、２つであっても、支持用凹部２６の長さを長くすることにより、安定支持できる構成にすることが可能である。
【００７７】
図１２（ａ）は、支持アーム４及び支持用凹部２６の他の変形例を示す、電子音響機器の底面の模式図、図１２（ｂ）は、同変形例が採用される電子音響機器システムの側面の模式図である。
【００７８】
図１２（ａ）、（ｂ）に示すように、この変形例では、下ケース２０の底面２０ａには、支持用凹部２６が離間して２つしか設けられないが、これら支持用凹部２６は、同じ方向（例えば、前後方向）に長く、平行である。スタンド２は２本の支持アーム４を有し、互いに近づく方向に付勢可能である。
【００７９】
支持アーム４を対応する支持用凹部２６に嵌入し、閉じ方向に付勢することで、支持用凹部２６を挟持するような態様で、支持用凹部２６を介して下ケース２０が支持される。なお、支持用凹部２６内に係止爪２７（図９参照）を設けてもよいことはいうまでもない。また、この変形例では、図６の構成と同様に、リブ２８が、１対の支持用凹部２６間に直線的に複数形成される。
【００８０】
なお、本実施の形態においては、リブ２８が、下ケース２０の上面２０ｃに設けられたが（図６参照）、底面２０ａまたは、上面２０ｃ及び底面２０ａの双方に設けてもよい。また、形状は限定されず、必ずしも直線的である必要はなく、連続でなく断続的であってもよい。さらには、上下方向に平行である必要もない。さらに、数も限定されない。
【００８１】
なお、電子音響機器１は、電子打楽器であるとしたが、スタンド２によって支持されるものとしてはこれに限られず、ミキサ装置等、電子的な楽音を扱う各種電子音響機器に本発明を適用可能である。
【図面の簡単な説明】
【００８２】
【図１】本発明の一実施の形態に係る電子打楽器である電子音響機器を備える電子音響機器システムを斜め下方からみた斜視図である。
【図２】電子音響機器の平面図である。
【図３】電子音響機器の正面図（図（ａ））、右側面図（図（ｂ））である。
【図４】電子音響機器の底面図である。
【図５】上ケースを裏側からみた斜視図である。
【図６】下ケースを上側からみた斜視図である。
【図７】図２のＡ−Ａ線に沿う断面図である。
【図８】図２のＦ１矢視図である。
【図９】下ケースの底面における支持用凹部の斜視図（図（ａ））、図４のＢ−Ｂ線に沿う断面図（図ｂ）である。
【図１０】本実施の形態の変形例を示す電子音響機器の側面の模式図である。
【図１１】支持アーム及び支持用凹部の変形例を示す、支持用凹部の断面の模式図である。
【図１２】支持アーム及び支持用凹部の他の変形例を示す、電子音響機器の底面の模式図（図（ａ））、同変形例が採用される電子音響機器システムの側面の模式図（図（ｂ））である。
【符号の説明】
【００８３】
１  電子音響機器（電子打楽器）、  １０  上ケース、  １０ａ  上面、  １６  対応ボス（固着部）、  ２０  下ケース、  ３０Ａ〜３０Ｄ  パッド部（非傾倒パッド部）、  ３０Ｅ、３０Ｆ  パッド部（非傾倒パッド部）、  ３１Ａ〜３１Ｄ  パッド体保持部、  ４０Ｌ、４０Ｒ  パッド部（傾倒パッド部）、  ４１Ｌ、４１Ｒ  パッド体保持部、  ４２ａ  外面、  ４４  取り付けボス（被固着部）、  ５０Ａ〜５０Ｄ  パッド体、  ５０Ｅ、５０Ｆ  パッド体、  ５０Ｌ、５０Ｒ  パッド体、  ５１  被打撃面、  Ｌ０  直線、  Ｌ４０、Ｌ３０  軸線、  θ２  鋭角、  ５３  ネジ（締結手段）、  １００  機器本体
【図１】
2008158085.tif 000003
【図２】
2008158085.tif 000004
【図３】
2008158085.tif 000005
【図４】
2008158085.tif 000006
【図５】
2008158085.tif 000007
【図６】
2008158085.tif 000008
【図７】
2008158085.tif 000009
【図８】
2008158085.tif 000010
【図９】
2008158085.tif 000011
【図１０】
2008158085.tif 000012
【図１１】
2008158085.tif 000013
【図１２】
2008158085.tif 000014